(57)【要約】【課題】スリッティングの際に発生する塵埃を磁気記録テープに再付着させないテープ製造装置を提供する。【解決手段】複数の上刃１２と複数の下刃１３とを有するスリッタ２を有し、ウェブＷＢを下刃１３の上に走行させながら、上刃１２で下刃１３の方向にウェブＷＢを押すことにより、ウェブＷＢを複数本のテープＴａ、Ｔｂ、Ｔｃに裁断するテープ製造装置において、ウェブＷＢを押す際に、複数の上刃１２で挟まれたスリット幅空間２４またはその周辺にある空気をクリーンエアに置換する置換部３を有する。【選択図】図１
2007331074.tif 000002
【特許請求の範囲】
【請求項１】
ウェブを複数の下刃の上に走行させながら、複数の上刃で前記下刃の方向に前記ウェブを押すことにより、前記ウェブを複数本のテープに裁断するテープ製造方法において、
前記ウェブを押す際に、複数の前記上刃で挟まれたスリット幅空間または前記スリット幅空間の周辺にある空気をクリーンエアに置換することを特徴とするテープ製造方法。
【請求項２】
前記クリーンエアを前記スリット幅空間または前記周辺に吹きつけることにより、前記空気を前記クリーンエアに置換することを特徴とする請求項１に記載のテープ製造方法。
【請求項３】
前記クリーンエアを、前記スリット幅空間毎に設けられた複数のクリーンエアノズルから、前記スリット幅空間それぞれまたは前記周辺のそれぞれに吹きつけることを特徴とする請求項２に記載のテープ製造方法。
【請求項４】
前記ウェブの走行方向に、前記クリーンエアを吹きつけることを特徴とする請求項２または請求項３に記載のテープ製造方法。
【請求項５】
前記空気を吸引することにより、前記空気を前記クリーンエアに置換することを特徴とする請求項１乃至請求項４のいずれか１項に記載のテープ製造方法。
【請求項６】
前記ウェブの走行方向に前記空気が流れるように、前記空気を吸引することを特徴とする請求項５に記載のテープ製造方法。
【請求項７】
置換する前記クリーンエアの量が前記スリット幅空間毎に、１分間当たり５リットル以上であることを特徴とする請求項１乃至請求項６のいずれか１項に記載のテープ製造方法。
【請求項８】
複数の上刃と複数の下刃とを有するスリッタを有し、ウェブを前記下刃の上に走行させながら、前記上刃で前記下刃の方向に前記ウェブを押すことにより、前記ウェブを複数本のテープに裁断するテープ製造装置において、
前記ウェブを押す際に、複数の前記上刃で挟まれたスリット幅空間または前記スリット幅空間の周辺にある空気をクリーンエアに置換する置換部を有することを特徴とするテープ製造装置。
【請求項９】
前記置換部は、前記クリーンエアを、前記スリット幅空間または前記周辺に吹きつける吹付け部を有することを特徴とする請求項８に記載のテープ製造装置。
【請求項１０】
前記吹付け部は、前記スリット幅空間毎に設けられ、前記クリーンエアを前記スリット幅空間それぞれまたは前記周辺のそれぞれに吹きつける複数のクリーンエアノズルを有することを特徴とする請求項９に記載のテープ製造装置。
【請求項１１】
前記吹付け部は、前記ウェブの走行方向に、前記クリーンエアを吹きつけることを特徴とする請求項９または請求項１０に記載のテープ製造装置。
【請求項１２】
前記置換部は、前記空気を吸引する吸引部を有することを特徴とする請求項８乃至請求項１１のいずれか１項に記載のテープ製造装置。
【請求項１３】
前記吸引部は、前記ウェブの走行方向に前記空気が流れるように、前記空気を吸引することを特徴とする請求項１２に記載のテープ製造装置。
【請求項１４】
置換する前記クリーンエアの量が前記スリット幅空間毎に、１分間当たり５リットル以上であることを特徴とする請求項８乃至請求項１３のいずれか１項に記載のテープ製造装置。
【発明の詳細な説明】
【技術分野】
【０００１】
本発明は、磁気記録テープ等のテープ製造方法およびテープ製造装置に関する。
【背景技術】
【０００２】
磁気記録テープは、リニア記録方式等による高記録密度化に伴い、記録密度が年々飛躍的に向上している。このため、大きさがサブミクロンレベルの塵埃がサーボライタ又はドライブのヘッドに付着すると、サーボ信号あるいは書込み信号にドロップアウトが生じ、磁気記録テープへの信号の書込みが不可能となる場合がある。また、サーボライタ又はドライブのヘッドに塵埃が固着すると、固着した塵埃が磁気記録テープのエッジを変形させ、サーボトラッキングエラーを発生させる場合があった。
【０００３】
このような塵埃は、磁気記録テープに付着して、サーボライタ又はドライブ内に持ち込まれている。このため、塵埃の付着していない磁気記録テープを製造することが重要である。
【０００４】
磁気記録テープは、ウェブをスリッタによりスリッティングすることで製造されるが、このスリッティング時に塵埃が発生していると考え、スリッタ全体をクリーンエアの環境下に置くことが提案されている。（例えば、特許文献１参照。）
【特許文献１】特開平６−１８１９６９号公報
【発明の開示】
【発明が解決しようとする課題】
【０００５】
塵埃は、ウェブをスリッティングする際に発生する切り屑であり、切り屑は、スリッティングされたばかりの磁気記録テープの裁断面から飛散し、磁気記録テープの周辺の空気中を漂った後に、磁気記録テープの表面に再付着している。スリッタ全体をクリーンエアの環境下においた場合でも、スリッティングの際には、磁気記録テープの周辺の空気は塵埃で汚染されていると考えられた。再付着した塵埃は磁気記録テープに固着し、磁気記録テープからの除去は困難であり、塵埃の無い磁気記録テープを製造するためには、飛散した塵埃を磁気記録テープに再付着させないことが重要であると考えられた。
【０００６】
そこで、本発明は、スリッティングの際に発生する塵埃を磁気記録テープに再付着させないテープ製造方法およびテープ製造装置を提供することを課題とする。
【課題を解決するための手段】
【０００７】
前記課題を解決するため、本発明のテープ製造方法は、ウェブを複数の下刃の上に走行させながら、複数の上刃で前記下刃の方向に前記ウェブを押すことにより、前記ウェブを複数本のテープに裁断するテープ製造方法において、前記ウェブを押す際に、複数の前記上刃で挟まれたスリット幅空間または前記スリット幅空間の周辺にある空気をクリーンエアに置換することを特徴とする。この特徴によれば、スリット幅空間またはスリット幅空間の周辺にある空気は、飛散した塵埃により汚染されていると考えられるが、この空気を塵埃の無いクリーンエアに置換してしまうので、塵埃がテープに再付着することが無い。
【０００８】
前記クリーンエアを前記スリット幅空間または前記周辺に吹きつけることにより、前記空気を前記クリーンエアに置換することが好ましい。塵埃を含んだ空気をスリット幅空間またはスリット幅空間の周辺から除くことができるからである。
【０００９】
前記クリーンエアを、前記スリット幅空間毎に設けられた複数のクリーンエアノズルから、前記スリット幅空間それぞれまたは前記周辺のそれぞれに吹きつけることが好ましい。上刃により区切られた複数のスリット幅空間それぞれまたはスリット幅空間それぞれの周辺に、クリーンエアを均等に供給することができるからである。
【００１０】
前記ウェブの走行方向に、前記クリーンエアを吹きつけることが好ましい。この走行方向は、それぞれの上刃の面方向と一致するので、この走行方向からクリーンエアを吹き付けると、上刃が陰になってクリーンエアが届かないようなスリット幅空間内および周辺の領域はなく、スリット幅空間およびその周辺の全領域にクリーンエアを供給することができる。
【００１１】
前記空気を吸引することにより、前記空気を前記クリーンエアに置換することが好ましい。この吸引によっても塵埃を含んだ空気をスリット幅空間およびその周辺から除くことができるからである。
【００１２】
前記ウェブの走行方向に前記空気が流れるように、前記空気を吸引することが好ましい。この走行方向は、それぞれの上刃の面方向と一致するので、この走行方向から前記空気を吸引すると、上刃が陰になって前記空気が滞留するようなスリット幅空間内およびその周辺の領域はなく、スリット幅空間およびその周辺の全領域にわたる前記空気を吸引することができる。
【００１３】
置換する前記クリーンエアの量が前記スリット幅空間毎に、１分間当たり５リットル以上であることが好ましい。スリッティングの際には常時、塵埃が発生し続けているので、この塵埃を常に除去し続けるには、１分間当たり５リットル以上のクリーンエアを供給することが好ましいが、１分間当たり５リットル未満の流量でも、その流量に応じて再付着する塵埃の量を低減できる。逆に、１分間当たり１０リットル以上のクリーンエアを供給できればさらに好ましく、クリーンエアの量が変動しても確実に塵埃を除去することができる。
【００１４】
また、課題を解決するため、本発明のテープ製造装置は、複数の上刃と複数の下刃とを有するスリッタを有し、ウェブを前記下刃の上に走行させながら、前記上刃で前記下刃の方向に前記ウェブを押すことにより、前記ウェブを複数本のテープに裁断するテープ製造装置において、前記ウェブを押す際に、複数の前記上刃で挟まれたスリット幅空間または前記スリット幅空間の周辺にある空気をクリーンエアに置換する置換部を有することを特徴とする。この特徴によれば、スリット幅空間およびその周辺にある空気は、飛散した塵埃により汚染されていると考えられるが、置換部が、この空気を塵埃の無いクリーンエアに置換してしまうので、塵埃がテープに再付着することが無い。
【００１５】
前記置換部は、前記クリーンエアを、前記スリット幅空間または前記周辺に吹きつける吹付け部を有することが好ましい。吹付け部は、塵埃を含んだ空気をスリット幅空間およびその周辺から除くことができる。
【００１６】
前記吹付け部は、前記スリット幅空間毎に設けられ、前記クリーンエアを前記スリット幅空間それぞれまたは前記周辺のそれぞれに吹きつける複数のクリーンエアノズルを有することが好ましい。複数のクリーンエアノズルは、上刃により区切られた複数のスリット幅空間それぞれとそれらの周辺に、クリーンエアを均等に供給することができる。
【００１７】
前記吹付け部は、前記ウェブの走行方向に、前記クリーンエアを吹きつけることが好ましい。この走行方向は、それぞれの上刃の面方向と一致するので、吹付け部が、この走行方向からクリーンエアを吹き付けると、上刃が陰になってクリーンエアが届かないようなスリット幅空間内およびその周辺の領域はなく、スリット幅空間およびその周辺の全領域にクリーンエアを供給することができる。
【００１８】
前記置換部は、前記空気を吸引する吸引部を有することが好ましい。この吸引部によっても塵埃を含んだ空気をスリット幅空間または前記スリット幅空間の周辺から除くことができる。
【００１９】
前記吸引部は、前記ウェブの走行方向に前記空気が流れるように、前記空気を吸引することが好ましい。この走行方向は、それぞれの上刃の面方向と一致するので、吸引部が、この走行方向から前記空気を吸引すると、上刃が陰になって前記空気が滞留するようなスリット幅空間内およびその周辺の領域はなく、スリット幅空間の全領域にわたる前記空気を吸引することができる。
【発明の効果】
【００２０】
本発明によれば、スリッティングの際に発生する塵埃を磁気記録テープに再付着させないテープ製造方法およびテープ製造装置を提供できる。
【発明を実施するための最良の形態】
【００２１】
次に、本発明の実施の形態に係るテープ製造方法とテープ製造装置について適宜図面を参照しながら詳細に説明する。
【００２２】
図１に示すように、テープ製造装置１は、紙面奥方向に重なる複数の上刃１２と同様に重なる複数の下刃１３とを有するスリッタ２と、スリッタ２にウェブＷＢを送入させる送入部１４と、スリッタ２から磁気記録テープＴａ、Ｔｂ、Ｔｃを送り出す送出部１５と、隣り合う上刃１２で挟まれたスリット幅空間２４にある空気をクリーンエアに置換する置換部３を有している。
【００２３】
送入部１４は、ウェブＷＢのバルク２５を装着する巻き戻しリール１６と、巻き戻しリール１６からウェブＷＢを連続的に引き出すフィードローラ１８と、ウェブＷＢを巻き戻しリール１６からフィードローラ１８に送り、フィードローラ１８からスリッタ２に送るガイドローラ１７とを有している。フィードローラ１８としては、ウェブＷＢ表面に吸着しながら回転するサクションドラムであることが好ましいが、これに限らず、ウェブＷＢを挟圧して搬送する一対のニップローラであってもよい。ガイドローラ１７は回動自在に支持されている。
【００２４】
ウェブＷＢは、通常、非磁性支持体上に強磁性微粒子を含む磁性層を塗布法や真空蒸着法等により形成し、その磁性層に配向処理、乾燥処理、表面処理等を行うことによって製造されている。
【００２５】
送出部１５は、スリッタ２で裁断された磁気記録テープＴａ、Ｔｂとクリアー部Ｔｃそれぞれを巻き掛けるパスローラ１９Ａ、１９Ｂ、１９Ｃと、パスローラ１９Ａ、１９Ｂ、１９Ｃで巻き掛けられた磁気記録テープＴａ、Ｔｂとクリアー部Ｔｃそれぞれを巻き取る巻取りハブ２０Ａ、２０Ｂ、２０Ｃとを有している。巻き取られた磁気記録テープＴａ、Ｔｂは、いわゆる、パンケーキ２１Ａ、２１Ｂを構成する。クリアー部Ｔｃは、ウェブＷＢの両端に位置するテープであり、磁性層が全面に形成されていない。巻き取られたクリアー部Ｔｃは、いわゆる、クリアー部パンケーキ２２を構成する。パスローラ１９Ａ、１９Ｂ、１９Ｃは回動自在に支持され、巻取ハブ２０Ａ、２０Ｂ、２０Ｃは、フィードローラ１８と同期して回転するようになっている。
【００２６】
置換部３は、クリーンエアをスリット幅空間２４およびその周辺に吹きつける吹付け部４と、スリット幅空間２４およびその周辺にある空気を吸引する吸引部５とを有している。
【００２７】
吹付け部４は、空気を吸気して圧縮空気を生成するコンプレッサＣと、圧縮空気を通過させ圧縮されたクリーンエアを放出するエアフィルタ６と、スリット幅空間２４毎に設けられ、圧縮されたクリーンエアをスリット幅空間２４それぞれとそれらの周辺に吹きつける紙面奥方向に重なる複数のクリーンエアノズル７とを有する。クリーンエアノズル７の吹付け口８は、ウェブＷＢが下刃１３へ走行する走行方向２３から、スリット幅空間２４に向かって開口しており、スリット幅空間２４にクリーンエアを吹きつけることができる。エアフィルタ６には、ヘパ(HEPA : High Efficiency Particulate Air Filter)やウルパ(ULPA : Ultra Low Penetration Air Filter)を用いることができる。
【００２８】
なお、クリーンエアにかえて、窒素（Ｎ２）、二酸化炭素（ＣＯ２）やアルゴン（Ａｒ）等の不活性ガスを、フィルタを通してクリーン化して用いてもよく、クリーン化した気体であれば特に限定することなく用いることができる。
【００２９】
吸引部５は、スリット幅空間２４およびその周辺から塵埃を含んだ空気を吸引する集塵エアノズル９と、空気を吸気するために設けられているポンプＰと、ポンプＰから排気される空気から塵埃をトラップする集塵フィルタ１１とを有している。集塵エアノズル９の吸入口１０は、走行方向２３の先から、スリット幅空間２４およびその周辺に向かって開口しており、スリット幅空間２４およびその周辺における空気を吸引することができる。
【００３０】
図２と図３に示すように、スリッタ２は、円筒状で回転する複数の下刃１３と、薄い円盤状で回転する複数の上刃１２とを備えている。下刃１３は、シャフト３１にスペーサ３２を介して嵌合固定され、上刃１２は、シャフト３１と平行なシャフト３３にスペーサ３４を介して嵌合固定されている。上刃１２は、図示していない弾性手段によって、刃先部分が下刃１３の刃先部分の側面に圧接されている。シャフト３１とシャフト３３は、回転速度を自由に可変可能なモータ（不図示）に接続され、図１のフィードローラ１８の回転速度に応じて、上刃１２と下刃１３の回転速度を調節している。
【００３１】
スリッタ２にウェブＷＢが送入されると、ウェブＷＢは、受け刃である下刃１３に巻き掛けられながら、上刃１２によって下刃１３側に押し込まれ裁断される。ウェブＷＢは、２０〜２００本の磁気記録テープＴａ、Ｔｂに裁断される。上刃１２の間隔により、すなわち、スペーサ３４の幅により、磁気記録テープＴａ、Ｔｂの裁断幅（例えば１２．６５ｍｍ、２５．４ｍｍ、３．８１ｍｍ等）が決定されている。
【００３２】
複数のクリーンエアノズル７は、スリット幅空間２４毎に設けられ、クリーンエアをスリット幅空間２４それぞれとそれらの周辺に吹きつける。こうすることで、隣り合う上刃１２により区切られた複数のスリット幅空間２４それぞれとそれらの周辺に、クリーンエアを均等に供給することができる。
【００３３】
クリーンエアノズル７の吹付け口８は、走行方向２３から、スリット幅空間２４またはその周辺に向かって開口しており、スリット幅空間２４にクリーンエアを吹きつけることができ、塵埃を含んだ空気をスリット幅空間２４およびその周辺から除くことができる。走行方向２３は、それぞれの上刃１２の面方向と一致するので、走行方向２３からクリーンエアを吹き付けると、上刃１２が陰になってクリーンエアが届かないようなスリット幅空間２４内および周辺の領域はなく、スリット幅空間２４およびその周辺の全領域にクリーンエアを供給することができる。
【００３４】
集塵エアノズル９は、図２と図３において、上刃１２、下刃１３とクリーンエアノズル７の要部を隠し、テープ製造装置１の理解を困難にするので、集塵エアノズル９とその吸入口１０を透視した点線で記載している。集塵エアノズル９が、スリット幅空間２４およびその周辺から塵埃を含んだ空気を吸引することにより、この塵埃を含んだ空気をスリット幅空間２４およびその周辺から除くことができる。
【００３５】
集塵エアノズル９の吸入口１０は、走行方向２３の下流から、スリット幅空間２４およびその周辺に向かって開口しており、スリット幅空間２４およびその周辺における塵埃を含んだ空気を吸引する。走行方向２３は、それぞれの上刃１２の面方向と一致するので、この走行方向２３の下流から空気を吸引すると、上刃１２が陰になって空気が滞留するようなスリット幅空間２４内および周辺の領域はなく、スリット幅空間２４およびその周辺の全領域にわたる塵埃を含んだ空気を吸引することができる。そして、スリット幅空間２４およびその周辺にある空気は、飛散した塵埃により汚染されているが、この空気を塵埃の無いクリーンエアに、吹き付けと吸引により置換してしまうので、塵埃が磁気記録テープＴａ、Ｔｂに再付着することが無い。
【実施例】
【００３６】
実施例では、実施の形態のテープ製造装置を用いて、スリット幅空間２４およびその周辺にクリーンエアを吹き付けることで、スリット幅空間２４およびその周辺にある空気に含まれる塵埃の数が低減することを確認した。
【００３７】
なお、実施例では、吸引部５は省き、替わりに、塵埃測定器（パーティクルカウンタ）を、スリット幅空間２４およびその周辺の塵埃数が測定できるように配置した。また、実施の形態では、スリット幅空間２４毎に設けたクリーンエアノズル７を用いたが、実施例では、簡便のために、すべてのスリット幅空間２４におよぶ１つの吹付け口８を有する１つのクリーンエアノズル７を用いた。また、スリット幅空間２４およびその周辺に吹き付けるクリーンエアは、０．３μｍ径以上の塵埃数がキュービックフィート（ＣＦ）当たり１００個以下とした。
【００３８】
ウェブＷＢには、幅が３００ｍｍ以上であり、厚みが７μｍ以下である高分子支持体に、少なくとも３層以上の薄膜をコーティングした、総厚９μｍ以下の薄手ウェブを使用した。スリッタ２によるスリッティングでは生産性向上のため、ウェブＷＢを１００〜６００ｍ／ｍｉｎの高速で走行させ、一度に２０〜８０本の磁気記録テープＴａ、Ｔｂに裁断した。
【００３９】
図４に示すように、スリット幅空間２４およびその周辺に、十分な量のクリーンエアを供給することが重要であり、クリーンエアの流量に塵埃数は依存すると考え、スリット幅空間当たりのクリーンエアの流量を変化させて、スリット幅空間２４およびその周辺における０．３μｍ径以上の塵埃数を測定した。
【００４０】
この測定の結果、クリーンエアの流量が０Ｌ／ｍｉｎ、すなわち、クリーンエアを吹き付けない場合は、塵埃数は１０００００個／ＣＦを超えることがわかった。塵埃はスリット幅空間２４およびその周辺を飛散していると考えられた。そして、クリーンエアの流量が０Ｌ／ｍｉｎから５Ｌ／ｍｉｎまでは、クリーンエアの流量を増やせば増やすほど、塵埃数は減少し、クリーンエアの流量が５Ｌ／ｍｉｎでは、１０００個／ＣＦ未満にまで減少した。クリーンエアの流量が５Ｌ／ｍｉｎを超えると、例えば、クリーンエアの流量を５Ｌ／ｍｉｎから１０Ｌ／ｍｉｎまで増やしても、数百個／ＣＦ程度でほぼ一定に飽和した。これらのことから、塵埃数を最も減らすためのクリーンエアの最小流量は５Ｌ／ｍｉｎであることがわかった。そして、クリーンエアの流量が５Ｌ／ｍｉｎ以上であれば、塵埃数を最も減らすことができる。また、クリーンエアの流量を５Ｌ／ｍｉｎに設定したとしても、実際に流れる流量は変動することがあるので、流量が変動した場合でも、最小の塵埃数を維持できるように、クリーンエアの流量は１０Ｌ／ｍｉｎに設定することが好ましい。
【００４１】
実施例によれば、クリーンエアを吹き付けることにより、飛散している塵埃数を減らせるので、磁気記録テープＴａ、Ｔｂに再付着する塵埃数を減らすことができる。そして、塵埃付着要因によるドロップアウトの発生原因を防止し、出荷時の品質向上及び商品の要求品質を確保できる。
【００４２】
また、効果的にクリーン化するために、クリーンエアノズル７を、実施の形態で説明したスリット幅空間２４毎に設けたクリーンエアノズル７に変更したところ、より塵埃数を低減する効果が得られることを確認した。
【００４３】
さらに、実施の形態で説明したように吸引部５を装備させたところ、より一層の塵埃数を低減する効果が得られることを確認した。
【図面の簡単な説明】
【００４４】
【図１】本発明の実施の形態に係るテープ製造装置を模式的に示す側面図である。
【図２】クリーンエアノズルと集塵エアノズルの吸引口との位置関係を示すスリッタの正面図である。
【図３】クリーンエアノズルと集塵エアノズルとの位置関係を示すスリッタの斜視図である。
【図４】クリーンエアの流量に対するスリット幅空間およびその周辺における０．３μｍ径以上の塵埃の体積当たりの個数を示すグラフである。
【符号の説明】
【００４５】
１      テープ製造装置
２      スリッタ
３      置換部
４      吹付け部
５      吸引部
６      エアフィルタ
７      クリーンエアノズル
８      吹付け口
９      集塵エアノズル
１０    吸引口
１１    集塵フィルタ
１２    上刃
１３    下刃
１４    送入部
１５    送出部
２３    走行方向
２４    スリット幅空間
２５    ウェブのバルク
ＷＢ    ウェブ
Ｔａ、Ｔｂ  磁気記録テープ
Ｔｃ    クリアー部
３５    集合管
【図１】
2007331074.tif 000003
【図２】
2007331074.tif 000004
【図３】
2007331074.tif 000005
【図４】
2007331074.tif 000006